(57)【要約】ペイントパッド用具８は、ペイントパッド３９及びハンドル３７を取り外し可能に取り付けた取付板１０を有する。前記取付板１０は、シャフト３２を配置するために、支えるために、そして停止させるために複数の突起２２，２４，２６，２８を有する。前記突起２２，２４，２６，２８は、前記ハンドル３７の前記シャフト３２を自由に回転することを可能にする。前記ペイントパッド用具８は、また、塗装された面に隣接する面に塗料の塗布を可能にする複数の便利なスペーサ３０を提供する。【選択図】図１
2004533925.tif 000002
【特許請求の範囲】
【請求項１】
上面及び底面を有する取付板、
該取付板の底面に取り付けたペイントパッド、
前記取付板の上面に沿って取り付け、ハンドルのシャフトの端部を支持可能に内部に孔を有する複数の上方へ延びる突起、
前記ハンドルのシャフトの端部を停止させるために、前記取付板の上面に沿って取り付けた停止ブロック突起、及び
塗装された面に隣接する面から、一定の間隔でペイントパッド用具を保持するために、前記取付板の上面に沿って回転自在に取り付けた複数のスペーサを備え、表面に塗料を塗布することを特徴とするペイントパッド用具。
【請求項２】
ハンドルのシャフトの位置合わせを可能にするために、前記取付板の上面に沿って取り付けた少なくとも二つの位置決め突起をさらに含むことを特徴とする請求項１記載のペイントパッド用具。
【請求項３】
前記位置決め突起、前記上方へ延びる突起、及び前記停止ブロック突起は、前記取付板の上面に一体的に取り付けられていることを特徴とする請求項２記載のペイントパッド用具。
【請求項４】
前記取付板の底面に沿って複数のタブをさらに有し、該タブは、前記ペイントパッドの取り付けを可能にするために、前記取付板の少なくとも二つの対向する周辺端部に沿って内部に延びることを特徴とする請求項１記載のペイントパッド用具。
【請求項５】
少なくとも二つのスペーサは、前記取付板の少なくとも二つの側面を越えて外部に延び、そして少なくとも二つのスペーサは、前記取付板の一つの側面を越えて外部に延びることを特徴とする請求項１記載のペイントパッド用具。
【請求項６】
前記取付板は矩形の形状であることを特徴とする請求項１記載のペイントパッド用具。
【請求項７】
取り外し可能なハンドルをさらに備え、前記ハンドルはシャフト及びグリップを有し、前記シャフトは、前記グリップに取り付ける第一端部、及び前記取付板に取り外し可能に取り付ける第二端部の二つの端部を有することを特徴とする請求項１記載のペイントパッド用具。
【請求項８】
前記シャフトの第二端部は、少なくとも二つの上方へ延びる突起の孔に入ることによって前記取付板に取り付けられ、前記上方へ延びる突起は、前記シャフトの第二端部を支持することを特徴とする請求項７記載のペイントパッド用具。
【請求項９】
前記シャフトの第二端部は、第一及び第二の上方へ延びる突起の孔に入ることによって前記取付板に取り付けられ、そして前記シャフトの第二端部は、前記停止ブロック突起に当接することを特徴とする請求項８記載のペイントパッド用具。
【請求項１０】
前記シャフトの第二端部は、第三及び第四の上方へ延びる突起の孔に入ることによって前記取付板に取り付けられることを特徴とする請求項８記載のペイントパッド用具。
【請求項１１】
前記取付板、前記複数の上方へ延びる突起、前記停止ブロック突起、及び前記位置決め突起は、透明な又は着色されたプラスチック材料から形成されることを特徴とする請求項１記載のペイントパッド用具。
【請求項１２】
上面及び底面を有する取付板、
該取付板の底面に取り外し可能に配置したペイントパッド、
前記取付板の底面に沿って有し、前記ペイントパッドの取り付けを可能にするために、前記取付板の少なくとも二つの対向する周辺端部に沿って内部に延びる複数のタブ、
ハンドルのシャフトの位置合わせを可能にするために、前記取付板の上面に沿って取り付けた少なくとも二つの位置決め突起、
前記取付板の上面に沿って取り付け、前記ハンドルのシャフトを支持可能に内部に孔を有する複数の上方へ延びる突起、
前記ハンドルのシャフトの端部を停止させるために、前記取付板の上面に沿って取り付けた停止ブロック突起、及び
塗装された面に隣接する面から、一定の間隔でペイントパッド用具を保持するために、前記取付板の上面に沿って回転自在に取り付けた複数のスペーサとを備え、
前記ペイントパッドが塗料を保持するときに、該ペイントパッドによって塗布された塗料の境界が、前記隣接面及び前記塗装された面が接触する縁部に近接するように、少なくとも二つのスペーサは、前記取付板の少なくとも二つの側面を越えて外部に延び、そして少なくとも二つのスペーサは、前記取付板の一つの側面を越えて外部に延びることを特徴とするペイントパッド用具。
【請求項１３】
前記取付板は矩形の形状であることを特徴とする請求項１２記載のペイントパッド用具。
【請求項１４】
取り外し可能なハンドルをさらに備え、前記ハンドルはシャフト及びグリップを有し、前記シャフトは、前記グリップに取り付ける第一端部及び前記取付板に取り外し可能に取り付ける第二端部の二つの端部を有することを特徴とする請求項１２記載のペイントパッド用具。
【請求項１５】
前記シャフトの第二端部は、少なくとも二つの上方へ延びる突起の孔に入ることによって前記取付板に取り付けられ、前記上方へ延びる突起は、前記シャフトの第二端部を支持することを特徴とする請求項１４記載のペイントパッド用具。
【請求項１６】
前記シャフトの第二端部は、第一及び第二の上方へ延びる突起の孔に入ることによって前記取付板に取り付けられ、そして前記シャフトの第二端部は、前記停止ブロック突起に当接することを特徴とする請求項１５記載のペイントパッド用具。
【請求項１７】
前記シャフトの第二端部は、第三及び第四の上方へ延びる突起の孔に入ることによって、前記取付板に取り付けられることを特徴とする請求項１５記載のペイントパッド用具。
【請求項１８】
前記取付板、前記複数の上方へ延びる突起、前記停止ブロック突起、及び前記位置決め突起は、透明な又は着色したプラスチック材料から形成されることを特徴とする請求項１２記載のペイントパッド用具。
【発明の詳細な説明】
【技術分野】
【０００１】
本発明は、一般的な塗装のための用具に関し、特に、一方の面にペイントパッドを有し、そして、他方の面に、ハンドルを取り外し可能に取り付けるための突起を有する取付板を備えたペイントパッド用具に関する。
【背景技術】
【０００２】
一般に、塗装工は、大きな壁面を効率良く塗装するために、ブラシやロールを使用する。しかしながら、壁面の縁部を塗装するためにブラシ又はロールを使用することは、不可能ではないにしても、隣り合う壁面を塗装しないことは非常に困難である。このような塗装を行う人は、塗装された面に隣接する面に、粘着テープを繰り返し使用し、あるいは、塗装された表面の縁部の塗り替えを必要とするので、かなりの費用及び労力をかけて、頻繁なやり直しを余儀なくされる。この問題を解決するために、いくつかの道具が開発されている。
【０００３】
ある道具には、平らな取付板に連結されるペイントパッドがある。前記取付板は、該取付板を越えて延びる四つのスペーサ手段を有し、各スペーサ手段は、前記ペイントパッドの少なくとも二つの縁部を越えて延びている。このような道具の欠点は、前記スペーサ手段が取付板を十分に覆うことである。従って、もし塗料が前記スペーサ手段に付着したなら、前記スペーサ手段を十分にきれいにすることを非常に困難にし、さらに、前記スペーサ手段が回転するのを阻止して、隣接面を塗装するときに、スペーサ手段によって塗料の広がりをもたらす。
【０００４】
別の道具には、三つのポジションのうちの一つに、ハンドルのシャフトをロックするために、パッドの一面に突起を有するコーティングパッドの道具がある。このような道具の欠点の一つは、二面にまたがる縁部を適切に塗装するための手段の欠如である。このような道具の別の欠点は、前記ハンドルが、わずか三つのポジションのうちの一つにロックされるので、塗装用ハンドルの動きに対して柔軟性を欠くことである。このような道具のさらなる欠点は、支持するシャフトが係止突起にはめ込まれていることであり、特に、前記ペイントパッドが取り外され、そして新しいペイントパッドに取り替えられたときに、突起が、二面にまたがる縁部を塗装することを困難にする。このような道具のまたさらなる欠点は、支持するシャフトの端部に直接に置かれる前記係止突起と、前記パッドに対して、ハンドルの中心線に沿ってハンドルの動きを制限する停止ブロックとを構成する突起が共に一つの面にないことである。
【０００５】
別の種類の道具によれば、前記パッドの縁部の一つに沿って固定ブレードを有する平面パッドを使用している。前記パッドを取り付け中に、塗料はやむを得ず前記縁部に塗布される。塗料は、前記隣接面に塗料を塗布する前に、前記縁部から拭き取らなければならない。その結果、塗装工程は、面倒で無駄が多くなる。
【発明の開示】
【発明が解決しようとする課題】
【０００６】
従来の道具は、迅速さを可能にし、そして、スペーサをきれいにするための効果的な手段に加えて、隣接面の間の線上をきれいに塗装することを提供していない。そして、前記ペイントパッドに連結される十分に回転可能なハンドルを考慮すれば、前記ペイントパッドで塗料を塗布するときの動作に対して、直角に滑らないという問題がある。本発明は、上記問題を解決するためになされたものである。
【課題を解決するための手段】
【０００７】
本発明は、以下の構成を有する表面に塗料を塗装するためのペイントパッド用具を提供する。ペイントパッド用具は、好ましくは上面及び底面を有する矩形の形状である取付板、前記取付板の底面に取り付けたペイントパッド、前記取付板の上面に沿って取り付けられ、ハンドルのシャフトの端部を支持可能に内部に孔を有する複数の上方へ延びる突起、前記ハンドルのシャフトの端部を停止するために、前記取付部の上面に沿って取り付けた停止ブロック突起、及び塗装された面に隣接する面から一定の間隔でペイントパッド用具を保持するために、前記取付板の上面に沿って回転自在に取り付けた複数のスペーサから構成される。少なくとも二つのスペーサは、前記取付板の少なくとも二つの側面を越えて外部に延び、そして少なくとも二つのスペーサは、前記取付板の一つの側面を越えて外部に延びる。位置決め突起、上方へ延びる突起、及び停止ブロック突起は、好ましくは前記取付板の上面に一体的に取り付けられる。
【０００８】
また本発明の実施形態によれば、前記ペイントパッド用具は、ハンドルのシャフトの端部の位置合わせを可能にするために、前記取付板の上面に沿って取り付けた少なくとも二つの位置決め突起を含む。
【０００９】
さらにまた本発明の実施形態によれば、前記ペイントパッド用具は、前記取付板の底面に沿って複数のタブをさらに有し、該タブは、前記ペイントパッドの取り付けを可能にするために、前記取付板の少なくとも二つの対向する周辺端部に沿って内部に延びている。
【００１０】
本発明のこのような、そしてその他の特徴、形状、及び効果は、以下の詳細な説明及び添付図面により、理解を深めることになるだろう。
【発明を実施するための最良の形態】
【００１１】
本発明によれば、一般的な平面パッドは、少量の塗料を保持するために、そして、表面に又は表面に既にある塗料を塗布するために、提供され、適応される。前記ペイントパッドは、「ブラシパッド」、「パイルブラシパッド」及び「パイルブラシ」として知られている、これら市販のパッドを含む。
【００１２】
図１〜６を参照すると、ペイントパッド用具８は、上面１２及び底面１４を有する取付板１０から成る。前記取付板１０は、ポリプロピレン、ポリエチレン、ナイロン、アセタール、カペタール、又はｍ２７といった、一般的なプラスチックから形成される。前記取付板は、若干の剛性を有する材料から形成されるのが好ましく、それにより、塗装中に圧力が加えられたときに、全面に渡って圧力を均等に配分することができる。前記上面１２は、該上面１２から上方に延びる位置決め突起２０を少なくとも一つ有する。好ましくは、前記上面１２から上方に延びる、少なくとも二つの位置決め突起２０であり、前記突起２０は、互いに隣接して一列に並び、ハンドル３７のシャフト３２の幅に対して、互いの間に間隔を有する。
【００１３】
前記上面１２は、また、複数の上方へ延びる突起２２，２４，２６及び２８を有する。前記上方へ延びる突起２２及び２４は、前記取付板１０の一方の中心線に沿って一列に並べられており、前記上方へ延びる突起２６及び２８は、前記取付板１０の他方の中心線に沿って一列に並べられている。すなわち、前記延長突起２６及び２８の中心線は、前記延長突起２２及び２４の中心線に対して、角度が９０度である。前記上方へ延びる突起２２，２４，２６及び２８の双方の中心線は、好ましくは、前記取付板１０の中心に沿って位置する。前記複数の上方へ延びる突起２２，２４，２６及び２８は、好ましくは、それらの側面に複数の支持突起５４を有する。前記支持突起５４は、前記取付板１０の破損から、前記突起２２，２４，２６及び２８を保護するために、該突起をさらに固定する支持体を提供する。
【００１４】
各上方へ延びる突起はペイントハンドル３７のシャフト３２を支持するために、内部に孔を有する。前記位置決め突起２０は、前記シャフト３２が前記上方へ延びる突起２２及び２４の入り口に入り、前記突起の内部孔を通り抜ける前に、前記ハンドル３７のシャフト３２の位置合わせを可能にする。前記上面１２は、また、前記シャフトが前記上方へ延びる突起２２及び２４に入った後に、前記シャフト３２の端部を停止させる停止ブロック突起３８を有する。前記停止ブロック突起３８は、ペイントハンドル３７に対して、前記取付板１０の移動を阻止し、その上、前記取付板１０に対して、前記シャフト３２が自由に回転できることを可能にする。前記取付板１０、前記複数の上方へ延びる突起２２，２４，２６及び２８、前記停止ブロック突起３８、及び前記位置決め突起２０は、透明な又は着色されたプラスチック材料から形成される。
【００１５】
前記取付板１０の上面１２には、また、該上面１２に回転自在に取り付けた複数のスペーサ３０を有する。好ましくは、塗装された面に隣接する面から一定の距離で、前記ペイントパッド用具８を支持するために４つのスペーサ３０がある。それにより、前記ペイントパッド３９が塗料を保持するときに、前記ペイントパッド３９によって塗布された塗料の境界が、前記隣接面及び前記塗装された面が接触する縁部に近接する。前記スペーサ３０は、好ましくは、平らな先端を有し、ゴムのような別の材料から形成されてもよいが、ナイロン又はテフロン（登録商標）（米国デュポン社製）のような、プラスチックから形成される。少なくとも二つのスペーサ３０は、前記取付板の少なくとも二つの側面を越えて外部に延びる。そして、少なくとも二つのスペーサ３０は、前記取付板の一つの面だけを越えて外部に延びる。前記スペーサ３０の延長部分は、前記取付板の側面から約０．０５インチである。前記スペーサの目的は、塗装された面と隣接する面に一体となることによって、塗装をし続けることである。好ましくは、前記取付板１０は、矩形の形状からなり、前記スペーサ３０は、前記矩形の角に配置される。本発明の別の実施形態によれば、前記ハンドル３７のシャフト３２は、前記上方へ延びる突起２６及び２８の内部孔を通って入る。従って、より狭い幅のペイントパッドを必要とする表面を塗装するときに、前記ペイントパッド用具８は、大きな自由度を可能にさせるために方向を９０度に変えることができる。
【００１６】
図３を参照すると、前記底面１４は、吸収性のあるペイントパッド３９を支持する。前記吸収性のあるペイントパッド３９は、前記底面１４から外面に延びる複数のタブ１６の下部に、前記パッド３９の周辺端部４０をパチンと嵌めることによって、前記取付板１０の底面１４に取り付けられる。前記タブ１６は、前記取付板１０の周辺端部の少なくとも二つの対向する側面に沿って延びる。好ましくは、前記取付板１０の一方の側面に沿って三つのタブ１６があり、前記取付板１０の反対側の側面に沿って三つのタブ１６がある。前記取付板１０は、好ましくは、前記パッド３９を押し出して、新しいパッドと交換されることが可能なように、前記取付板１０の中央部分に配置される押出孔４８を有する。
【００１７】
図３及び４を参照すると、前記ペイントパッド３９は、好ましくは、周辺端部４０を有する柔軟性のあるプラスチック支持体４６のような支持層と、フォーム層４２のようなパッド層と、好ましくはポリウレタン又はポリエステル、そして剛毛又は綿毛からなり、例えばフロッキング加工によって、前記フォーム層４２に適切に取り付ける符号４４のような粗部又は密部のいずれかのセル発泡体とから構成されることが示されている。パイル繊維又はその他のパイルが、塗料の分量を調整し、保持するために適切なように使用されるものであっても、前記パッドは、好ましくは、剛毛、またはその他の繊維のように、塗料を吸収し広げるようなものを使用する。もし剛毛が使用されるなら、ナイロンやモヘアのような自然の材料から形成される方が好ましい。前記ペイントパッド３９は、例えば、矩形の形状、即ち前記取付板１０に前記ペイントパッド３９を効率良く取り付けることが可能なように、前記取付板１０と同じ形状を有することが好ましい。前記周辺端部が、矩形の形状の場合は、実質的に垂直な四つの側面を有すると見なされる。前記ペイントパッド３９の周辺端部は、前記取付板１０にペイントパッド３９を取り付けるために前記取付板１０の底面１４から延びる複数のタブ１６の下部に押圧される。前記タブ１６は、また、前記取付板１０に前記パッド３９を保持するパッド層４２を押し込む。前記取付板１０に前記パッド３９を取り付けたときに、該パッド３９の周辺端部は、少なくとも二つの対向するタブ１６の下に置かれ、そして、前記パッドは、残ったタブ１６を越えて滑らせる。
【００１８】
前記ペイントハンドル３７は、前記上方へ延びる突起２２，２４又は２６及び２８の内部孔に挿入され、そして回転可能にするシャフト３２の第二端部を有する。強固なプラスチックは金属を代用するとはいえ、前記シャフトは、円形の切断面を有する金属ワイヤから形成されるのが好ましい。前記ペイントハンドル３７は、さらに、グリップ３６に取り付けられるシャフトの第一端部からなる。前記グリップは、二つの端部を有し、第一端部は、実質的に円筒形の、そして、前記ペイントハンドル３７に延長部分を装着することを可能にするために通り抜け可能な内部孔５２を有する。このようにして、天井のような面が前記用具に到達される。前記グリップ３６の第二端部には、複数の突起５０が配置されている。前記突起５０は、用具を下地に接することなく置くことを可能にする。例えば、突起５０は、ペイント缶の縁部の真上に引っかけることができる。従って、前記パッド３９を使用後、該パッド上の塗料は、不要なくずを付着させない。前記グリップ３６は、ゴムのような別の材料から形成されるにしても、好ましくは、ポリプロピレン、ポリエチレン又はナイロンのようなプラスチックから形成される。前記グリップ３６は、また、滑らない表面を提供するために特定のきめを出している。
【００１９】
上記発明は、図示するとともにいくつかの詳細な記述により、そして、明確な及び理解の目的のための実施例により説明されたが、当業者の認識の範囲内で行われる種々の改良及び変更は、添付した請求項の範囲の中にあるものと見なされることは明らかであろう。
【図面の簡単な説明】
【００２０】
【図１】ペイントパッド用具の上面図であり、第一及び第二の上方へ延びる突起を通り抜ける塗布用ハンドルのシャフトを示す。
【図２】ペイントパッド用具の平面図であり、第三及び第四の上方へ延びる突起を通り抜ける塗布用ハンドルのシャフトを示す。
【図３】図１のペイントパッド用具の分解斜視図であり、主に、取付板の底面及び取り外し可能なペイントパッドの側面を示す。
【図４】図１のペイントパッド用具の４−４線矢視断面図である。
【図５】図１のペイントパッド用具の５−５線矢視断面図である。
【図６】図１のペイントパッド用具の斜視図であり、主に図３の背面、取付部の上面を示す。
【符号の説明】
【００２１】
８…ペイントパッド用具
１０…取付板
１２…側面
１４…側面
１６…取付用タブ
２０…位置決め突起
２２…第一の上方へ延びる突起
２４…第二の上方へ延びる突起
２６…第三の上方へ延びる突起
２８…第四の上方へ延びる突起
３０…スペーサ
３２…ハンドルシャフト
３４…ワイヤ
３６…ハンドルグリップ
３７…ハンドル
３８…停止ブロック突起
３９…ペイントパッド
４０…周辺端部
４２…フォーム層
４４…剛毛
４６…パッド支持体
４８…中央の押出孔
５０…突起
５２…ねじ込み式内部孔
５４…支持突起
【図１】
2004533925.tif 000003
【図２】
2004533925.tif 000004
【図３】
2004533925.tif 000005
【図４】
2004533925.tif 000006
【図５】
2004533925.tif 000007
【図６】
2004533925.tif 000008
【国際公開パンフレット】
2004533925.tif 000009
2004533925.tif 000010
2004533925.tif 000011
2004533925.tif 000012
2004533925.tif 000013
2004533925.tif 000014
2004533925.tif 000015
2004533925.tif 000016
2004533925.tif 000017
2004533925.tif 000018
2004533925.tif 000019
2004533925.tif 000020
2004533925.tif 000021
2004533925.tif 000022
2004533925.tif 000023
2004533925.tif 000024
2004533925.tif 000025
2004533925.tif 000026
2004533925.tif 000027
【国際調査報告】
2004533925.tif 000028